(57)【要約】      （修正有）【課題】トマト等の果物の形状に沿って巾の広い範囲で皮を剥くことができ、さらには、両端辺に突出部を形成したことにより、トマト等の果物のへた近辺や凹陥部も容易に皮を剥くことを可能とする。【解決手段】本考案は、刃体支持部２に回動可能に両端を軸着された皮剥き刃１において、皮剥き刃１は間隔を有して平行に相対させた平板状の夫々の刃部１ａと、刃部１ａの両端を夫々接続する刃部接続部１ｂと、刃部接続部１ｂの両端に夫々突設した回動軸１ｃとを備え、相対させた夫々の刃部１ａの内側縁にピッチが約１ｍｍ前後の鋭角状の多数の刃先１ｄを形成したものであり、更に、皮剥き刃１の夫々の刃部１ａの厚さ方向に約１００ｍｍ前後の半径の湾曲面１ｅを形成したものであり、更には、皮剥き刃１の夫々の刃部１ａの夫々の両端辺に厚さ方向に突出する突出部１ｆを形成した。【選択図】図１
0003125038.tif 000002
【実用新案登録請求の範囲】
【請求項１】
把持部と、該把持部の先端に延設させた刃体支持部と、該刃体支持部に回動可能に両端を軸着された皮剥き刃において、前記皮剥き刃は間隔を有して平行に相対させた平板状の夫々の刃部と、該夫々の刃部の両端を夫々接続する刃部接続部と、該夫々の刃部接続部の両端に夫々突設した回動軸とを備え、前記相対させた夫々の刃部の内側縁にピッチが約１ｍｍ前後の鋭角状の多数の刃先を形成したことを特徴とする調理用皮剥き器。
【請求項２】
前記皮剥き刃の夫々の刃部の厚さ方向に約１００ｍｍ前後の半径の湾曲面を形成したことを特徴とする請求項１に記載の調理用皮剥き器。
【請求項３】
前記皮剥き刃の夫々の刃部の両端辺に厚さ方向に突出する突出部を形成したことを特徴とする請求項１又は請求項２に記載の調理用皮剥き器。
【考案の詳細な説明】
【技術分野】
【０００１】
本考案は、調理用皮剥き器に関するものであり、更に詳細には、特に、薄皮で柔らかいトマトや桃のような果物の皮を上手に剥くための調理用皮剥き器に関するものである。
【背景技術】
【０００２】
従来、一般にトマト等の果物の薄い皮を剥く方法として、トマトを湯に浸けてその後に水につけて皮を剥く湯むきと言われる皮剥き方法が採られているが、新鮮なトマトを湯に浸けることはトマトの新鮮さを失うばかりでなく、湯を沸かす手間も掛かり、忙しい朝食時等には敬遠されていた。
【０００３】
また、直線的な刃で薄皮を剥くと皮が厚く剥け、トマト等の果物の中の果汁が飛び出す等の問題や、果物の弾力をうまく利用して剥いた際も、一回で剥ける巾が少なく、非効率的なものであった。
【０００４】
その為に、例えば、先に開示されている、把手１１の先部の２本の刃体支持部１２に刃体２を、回動可能に架設してなる皮剥き器に於いて、特に刃体２を湾曲したものを採用するもの（特許文献１参照）や、刃部３１とガード部３２との間に剥き皮の排出通路となる隙間３３を設けた皮剥刃３において、刃部３１を、被皮剥物に当たる側の面においてその長さ方向中央部がその両端部に対して凹入するような湾曲形状に反らせ、あるいはガード部３２における刃部３１に対面する内端縁３２ａを、隙間３３の間隔が長さ方向中央部が広く且つ両端部側が狭くなるような湾曲形状とすることにより、この皮剥刃を装着した皮剥具の使用時において、安定よく皮剥きできるとともに一度に広幅づつ皮剥きできるようにしたもの（特許文献２参照）や、握柄（１）の端付近に支桿（２）（２）が設けられていて該支桿（２）（２）に湾曲した刃（３）の両端が支えられていて、該刃（３）よって丸みを帯びた物の表皮をむくことが出来るようにしたもの（特許文献３参照）がある。
【特許文献１】実開平６−２１５１８号公報
【特許文献２】特開２０００−２３７０３６号公報
【特許文献３】特開２００１−３１４３１６号公報
【考案の開示】
【考案が解決しようとする課題】
【０００５】
然し乍ら、特許文献１、特許文献２、特許文献３に記載されているものは、丸味を帯びた物の皮を剥くためのものであり、何れも刃体を湾曲に形成しているものであるが、柔らかい薄皮には刃先が食い込みにくく滑ってしまうものであり、力を入れて食い込ますと刃先が深く入りすぎて深剥きに成ったり、果汁が飛び出したりしがちであった。
【課題を解決するための手段】
【０００６】
前記課題に鑑み、鋭意研鑽の結果、把持部と、把持部に延設させた刃体支持部と、刃体支持部に両端を軸着された皮剥き刃において、皮剥き刃は間隔を有して平行に相対させた夫々の刃部と、刃部の両端を接続する刃部接続部と、刃部接続部の両端に突設した回動軸とを備え、相対させた刃部の内側縁にピッチが約１ｍｍ前後の鋭角状の多数の刃先を形成したものであり、更に、皮剥き刃の夫々の刃部の厚さ方向に約１００ｍｍ前後の半径の湾曲面を形成したものであり、更には、皮剥き刃の刃部の両端辺に厚さ方向に突出する突出部を形成したものである。
【考案の効果】
【０００７】
本考案の調理用皮剥き器は、皮剥き刃の間隔を有して平行に相対させた夫々の刃部の夫々の内側縁に対峙するピッチが約１ｍｍ前後の鋭角状の刃先を多数形成したことにより、剥き初めにスムーズに食い込み、更に、皮剥き刃に約１００ｍｍ前後の半径の湾曲面を形成したことにより、トマト等の果物の形状に沿って巾の広い範囲で皮を剥くことができ、更には、両端辺に突出部を形成したことにより、トマト等の果物のへた近辺や凹陥部も容易に皮を剥くことを可能としたもので、極めて有効的で実用性の高い考案である。
【考案を実施するための最良の形態】
【０００８】
以下、本考案の調理用皮剥き器の実施例の図面を用いて詳細に説明すると、図１は本考案の調理用皮剥き器の実施例の全体の平面図であり、図２は本考案の調理用皮剥き器の実施例の皮剥き刃の斜視図であり、図３は本考案の調理用皮剥き器の実施例の皮剥きの状態の説明図であり、図４は本考案の調理用皮剥き器の実施例の他の皮剥きの状態の説明図であり、図５は本考案の調理用皮剥き器の実施例の刃部の（ａ）は断面説明図，（ｂ）は平面説明図であり、図６は本考案の調理用皮剥き器の実施例の使用状態の説明図であり、図７は本考案の調理用皮剥き器の実施例の製造工程を示す説明図であり、図８は本考案の調理用皮剥き器の次実施例の皮剥き刃の斜視図であり、図９は本考案の調理用皮剥き器の他の実施例の皮剥き刃の斜視図である。
【０００９】
本考案は、調理用皮剥き器に関するものであり、更に詳細には、特に、薄皮で柔らかいトマトや桃のような果物Ｋの皮Ｋｂを上手に剥くための調理用皮剥き器に関するものであり、請求項１に記載の調理用皮剥き器は、把持部３と、該把持部３の先端に延設させた刃体支持部２と、該刃体支持部２に回動可能に両端を軸着された皮剥き刃１において、前記皮剥き刃１は間隔を有して平行に相対させた平板状の夫々の刃部１ａと、該夫々の刃部１ａの両端を夫々接続する刃部接続部１ｂと、該夫々の刃部接続部１ｂの両端に夫々突設した回動軸１ｃとを備え、前記相対させた夫々の刃部１ａの内側縁にピッチが約１ｍｍ前後の鋭角状の多数の刃先１ｄを形成したことを特徴とするものである。
【００１０】
更に、請求項２に記載の調理用皮剥き器は、請求項１に記載の調理用皮剥き器において、前記皮剥き刃１の夫々の刃部１ａの厚さ方向に約１００ｍｍ前後の半径の湾曲面１ｅを形成したことを特徴とするものである。
【００１１】
更には、請求項３に記載の調理用皮剥き器は、請求項１又は請求項２に記載の調理用皮剥き器において、前記皮剥き刃１の夫々の刃部１ａの夫々の両端辺に厚さ方向に突出する突出部１ｆを形成したものである。
【実施例】
【００１２】
即ち、本考案の調理用皮剥き器は、図１に図示する如く、把持部３と、刃体支持部２と、皮剥き刃１とから成るものである。
【００１３】
そして、把持部３と刃体支持部２とは、汎用されているもので良く、合成樹脂で把持し易く形成された把持部３の先端に金属製の刃体支持部２を延設させているものであり、刃体支持部２の先端の両側には後述する皮剥き刃１の両端を回動可能に軸着するために対峙させた一対の支持片２ａを立設させ、該夫々の支持片２ａに夫々貫通孔を穿設しているものである。
【００１４】
次に、皮剥き刃１は、ステンレス等の金属製やセラミック製のもので、夫々の刃部１ａは間隔を有して平行に相対させた平板状のもので、後述する刃部接続部１ｂで接続されているものである。
【００１５】
次いで、刃部接続部１ｂは、間隔を有して平行に相対させた夫々の刃部１ａの両端を夫々接続するもので、図２及び図８に図示する実施例では、略長方形状に形成されるものである。
【００１６】
更に、回動軸１ｃは、刃部接続部１ｂの両端に夫々突設したもので、刃体支持部２の支持片２ａに夫々穿設した貫通孔に回動自在に軸着するものである。
【００１７】
更には、刃先１ｄは、図５（ａ）に図示する如く、相対させた夫々の刃部１ａの夫々の内側縁に多数を並設したもので、図５（ｂ）に図示する如く、ピッチが約１ｍｍ前後の鋭角状に形成すると共に、刃部１ａの片面から他面の厚さ方向に傾斜面を形成して、夫々の刃先１ｄの先端を薄く鋭利に尖らせたものである。
【００１８】
そして、湾曲面１ｅは、図３及び図４に図示する如く、皮剥き刃１の刃部１ａの厚さ方向に約１００ｍｍ前後の半径で、厚さ方向を弧状に形成しているもので、一般的なトマト等の果物Ｋの半径よりも若干大径であるが表面の形状に沿っているものである。
【００１９】
更に、突出部１ｆは、皮剥き刃１の刃部１ａの厚さ方向に突出させているもので、図３及び図４に図示する実施例では、刃部１ａに形成した湾曲面１ｅの両端辺の反対面に突出させているもので、トマト等の果物Ｋのへた近辺や窪み部分Ｋａの皮剥きをするのに好適に使用できるものである。
【００２０】
そして、図９に図示するものは、他の実施例で相対させた夫々の刃部１ａの外方向に半円形状に膨出させたものであり、皮剥き刃１そのものの形状は特に限定しないものである。
【００２１】
更に、本考案の皮剥き刃１のステンレス等の金属製の製造工程を説明すると、図７に図示する如く、（ａ）に示すように、プレスの打ち抜きにより、平行させた刃部１ａと両側の刃部接続部１ｂと回動軸１ｃを一体に成形すると共に、刃部１ａの両端辺と刃部接続部１ｂとを厚さ方向に傾斜させて形成するものであり、次に、（ｂ）に示すように、矢示する方向に切削具４を移動させながら鋭角状の多数の刃先１ｄを約１ｍｍのピッチで形成し、更に、（ｃ）に示すように、両側からプレスＰすることにより刃部１ａに湾曲面１ｅを形成するもので、更には、（ｄ）に示すように、刃体支持部２の支持片２ａに穿設した貫通孔に回動軸１ｃを軸着することにより完成するものであり、また、図示しないが、セラミック製の場合は、アルミナ、ジルコニア等を皮剥き刃１を形成後に焼結して製作、或いは、焼結後刃面を研磨して製作するものである。
【産業上の利用可能性】
【００２２】
本考案の調理用皮剥き器は、剥き初めにスムーズに果物Ｋの皮Ｋｂに食い込み、更に、図６に図示する如く、トマト等の果物Ｋの形状に沿って幅の広い範囲で皮Ｋｂを薄く剥くことができ、更には、図４に図示する如く、へた近辺や窪み部分Ｋａも容易に皮Ｋｂを剥くことを可能とした家庭用、又は、業務用の調理用皮剥き器を提供するものである。
【図面の簡単な説明】
【００２３】
【図１】図１は本考案の調理用皮剥き器の実施例の全体の平面図である。
【図２】図２は本考案の調理用皮剥き器の実施例の皮剥き刃の斜視図である。
【図３】図３は本考案の調理用皮剥き器の実施例の皮剥きの状態の説明図である。
【図４】図４は本考案の調理用皮剥き器の実施例の他の皮剥きの状態の説明図である。
【図５】図５は本考案の調理用皮剥き器の実施例の刃部の（ａ）は断面説明図（ｂ）は平面説明図である。
【図６】図６は本考案の調理用皮剥き器の実施例の使用状態の説明図である。
【図７】図７は本考案の調理用皮剥き器の実施例の製造工程を示す説明図である。
【図８】図８は本考案の調理用皮剥き器の次実施例の皮剥き刃の斜視図である。
【図９】図９は本考案の調理用皮剥き器の他の実施例の皮剥き刃の斜視図である。
【符号の説明】
【００２４】
１      皮剥き刃
１ａ    刃部
１ｂ    刃部接続部
１ｃ    回動軸
１ｄ    刃先
１ｅ    湾曲面
１ｆ    突出部
２      刃体支持部
２ａ    支持片
３      把持部
４      切削具
Ｋ      果物
Ｋａ    窪み部分
Ｋｂ    皮
Ｐ      プレス
【図１】
0003125038.tif 000003
【図２】
0003125038.tif 000004
【図３】
0003125038.tif 000005
【図４】
0003125038.tif 000006
【図５】
0003125038.tif 000007
【図６】
0003125038.tif 000008
【図７】
0003125038.tif 000009
【図８】
0003125038.tif 000010
【図９】
0003125038.tif 000011